【手続補正書】
【提出日】平成17年6月29日(2005.6.29)
【手続補正１】
【補正対象書類名】明細書
【補正対象項目名】発明の名称
【補正方法】変更
【補正の内容】
【発明の名称】光学ヘッド及び情報記録再生装置
【手続補正２】
【補正対象書類名】明細書
【補正対象項目名】特許請求の範囲
【補正方法】変更
【補正の内容】
【特許請求の範囲】
【請求項１】
レーザ光を出射するレーザ光源及びレーザ光を受光する受光素子を備えると共に、上記レーザ光源から出射したレーザ光を平行光束にするコリメータレンズと、レーザ光を光記録媒体に照射する対物レンズと、上記レーザ光源から出射されたレーザ光を対物レンズに入射させると共に光記録媒体の記録層で反射され上記対物レンズを透過したレーザ光を受光素子に入射させる光学素子を有するレーザ光学系を備え、光記録媒体に対しレーザ光を照射することによって情報の記録及び／又は読み取りを行う光学ヘッドであって、
上記レーザ光学系のコリメータレンズと対物レンズとの間に入射した平行光束を拡大又は縮小するビームエクスパンダが配置され、
上記ビームエクスパンダは、レーザ光源側から順に配置された負の屈折力を有する第１レンズ群と正の屈折力を有する第２レンズ群とによって構成されると共に、上記負の屈折力を有する第１レンズ群で発生する球面収差を正の屈折力を有する第２レンズ群で発生する球面収差によって打ち消すように構成され、
ＳＡを第１レンズ群及び第２レンズ群それぞれで発生する球面収差として、ビームエクスパンダを構成する各レンズ群が、
−０．０２λｒｍｓ≦ＳＡ≦０．０２λｒｍｓ
の条件を満足するようにした
ことを特徴とする光学ヘッド。
【請求項２】
ΔＳＡを第１レンズ群で発生する球面収差と第２レンズ群で発生する球面収差との差として、ビームエクスパンダを構成する各レンズ群が、
−０．０１λｒｍｓ≦ΔＳＡ≦０．０１λｒｍｓ
を満足するようにした
ことを特徴とする請求項１に記載の光学ヘッド。
【請求項３】
ビームエクスパンダを構成する各レンズ群は、少なくとも一方のレンズ群に非球面レンズを含み、
ΔＳＡｂａｓｅをコマ収差及び球面収差が最良となる面形状で発生する球面収差と非球面のベース球面で発生する球面収差との差として、
−０．０１λｒｍｓ≦ΔＳＡｂａｓｅ≦０．０１λｒｍｓ
の条件を満足するようにした
ことを特徴とする請求項１に記載の光学ヘッド。
【請求項４】
各レンズ群がそれぞれ単レンズによって構成されている
ことを特徴とする請求項１に記載の光学ヘッド。
【請求項５】
少なくとも一方のレンズ群に接合レンズが含まれている
ことを特徴とする請求項１に記載の光学ヘッド。
【請求項６】
一方のレンズ群がレンズ駆動機構によって駆動されることによって上記第１レンズ群と第２レンズ群との間の間隔を調整するようにした
ことを特徴とする請求項１に記載の光学ヘッド。
【請求項７】
レーザ光を出射するレーザ光源及びレーザ光を受光する受光素子を備えると共に、上記レーザ光源から出射したレーザ光を平行光束にするコリメータレンズと、レーザ光を光記録媒体に照射する対物レンズと、上記レーザ光源から出射されたレーザ光を対物レンズに入射させると共に光記録媒体の記録層で反射され上記対物レンズを透過したレーザ光を受光素子に入射させる光学素子を有するレーザ光学系を備え、光記録媒体に対しレーザ光を照射することによって情報の記録及び／又は読み取りを行う光学ヘッドを用い、
上記レーザ光学系のコリメータレンズと対物レンズとの間に入射した平行光束を拡大又は縮小するビームエクスパンダが配置され、
上記ビームエクスパンダは、レーザ光源側から順に配置された負の屈折力を有する第１レンズ群と正の屈折力を有する第２レンズ群とによって構成されると共に、上記負の屈折力を有する第１レンズ群で発生する球面収差を正の屈折力を有する第２レンズ群で発生する球面収差によって打ち消すように構成され、
ＳＡを第１レンズ群及び第２レンズ群それぞれで発生する球面収差として、ビームエクスパンダを構成する各レンズ群が、
−０．０２λｒｍｓ≦ＳＡ≦０．０２λｒｍｓ
の条件を満足するようにしたことを特徴とする光学ヘッドを備えた情報記録再生装置。
【手続補正３】
【補正対象書類名】明細書
【補正対象項目名】０００１
【補正方法】変更
【補正の内容】
【０００１】
【発明が属する技術分野】
本発明は、光記録媒体に対しレーザ光を照射して情報の記録及び／又は読み取りを行う光学ヘッド及び情報記録再生装置に関する。詳しくは、光記録媒体の保護層の厚みのばらつきによる影響を補正するようにされた光学ヘッド及び情報記録再生装置であって、各光学部品の傾きや偏芯によって受ける影響を少なくするための技術に関する。
【手続補正４】
【補正対象書類名】明細書
【補正対象項目名】００１３
【補正方法】変更
【補正の内容】
【００１３】
【課題を解決するための手段】
本発明光学ヘッド及び情報記録再生装置は、上記課題を解決するために、レーザ光学系のコリメータレンズと対物レンズとの間に入射した平行光束を拡大又は縮小するビームエクスパンダを配置し、ビームエクスパンダを、レーザ光源側から順に配置された負の屈折力を有する第１レンズ群と正の屈折力を有する第２レンズ群とによって構成すると共に、負の屈折力を有する第１レンズ群で発生する球面収差を正の屈折力を有する第２レンズ群で発生する球面収差によって打ち消すように構成し、ＳＡを第１レンズ群及び第２レンズ群それぞれで発生する球面収差として、ビームエクスパンダを構成する各レンズ群が、−０．０２λｒｍｓ≦ＳＡ≦０．０２λｒｍｓの条件を満足するようにしたものである。
【手続補正５】
【補正対象書類名】明細書
【補正対象項目名】００１４
【補正方法】変更
【補正の内容】
【００１４】
したがって、本発明光学ヘッド及び情報記録再生装置にあっては、ビームエクスパンダを構成する各レンズが傾いたり偏芯した場合でも、ビームエクスパンダで発生する球面収差が大きくならない。
【手続補正６】
【補正対象書類名】明細書
【補正対象項目名】００１５
【補正方法】変更
【補正の内容】
【００１５】
【発明の実施の形態】
以下に、本発明光学ヘッド及び情報記録再生装置の実施の形態について、添付図面を参照して説明する。なお、以下に示す実施の形態は、本発明を、波長４００ｎｍ以下の短波長のレーザ光及び０．８５以上の高ＮＡ（開口数）の対物レンズを使用してディスク状光記録媒体に対して高密度で情報の書き込み及び読み取りを行うことができる光学ヘッドに適用したものである。
【手続補正７】
【補正対象書類名】明細書
【補正対象項目名】００６８
【補正方法】変更
【補正の内容】
【００６８】
【発明の効果】
以上に記載したところから明らかなように、本発明光学ヘッド及び情報記録再生装置は、レーザ光を出射するレーザ光源及びレーザ光を受光する受光素子を備えると共に、レーザ光源から出射したレーザ光を平行光束にするコリメータレンズと、レーザ光を光記録媒体に照射する対物レンズと、レーザ光源から出射されたレーザ光を対物レンズに入射させると共に光記録媒体の記録層で反射され対物レンズを透過したレーザ光を受光素子に入射させる光学素子を有するレーザ光学系を備え、光記録媒体に対しレーザ光を照射することによって情報の記録及び／又は読み取りを行う光学ヘッドであって、レーザ光学系のコリメータレンズと対物レンズとの間に入射した平行光束を拡大又は縮小するビームエクスパンダを配置し、ビームエクスパンダをレーザ光源側から順に配置された負の屈折力を有する第１レンズ群と正の屈折力を有する第２レンズ群とによって構成すると共に負の屈折力を有する第１レンズ群で発生する球面収差を正の屈折力を有する第２レンズ群で発生する球面収差によって打ち消すように構成し、ＳＡを第１レンズ群及び第２レンズ群それぞれで発生する球面収差として、ビームエクスパンダを構成する各レンズ群が、−０．０２λｒｍｓ≦ＳＡ≦０．０２λｒｍｓの条件を満足するようにしたことを特徴とする。
【手続補正８】
【補正対象書類名】明細書
【補正対象項目名】００６９
【補正方法】変更
【補正の内容】
【００６９】
したがって、本発明光学ヘッド及び情報記録再生装置にあっては、第１及レンズ群及び第２レンズ群で発生する球面収差の絶対値が小さいので、例え、各レンズ群を構成する個々のレンズが光軸に対して傾いたり偏心したりしてもビームエクスパンダ全体で発生する球面収差が小さく、第１レンズ群と第２レンズ群との間の間隔を調整することと対物レンズでの調整とによって第１レンズ群と第２レンズ群との間で発生する球面収差を補正することができ、光記録媒体の記録層に集光するビームスポットの各種特性に与える影響を少なくすることができる。また、第１レンズ群及び第２レンズ群で発生する球面収差の絶対値が小さいので、各レンズ群を構成する個々のレンズの光軸に対する傾きや偏芯に対する許容度が大きくなり、各レンズ群を構成する個々のレンズ及びその保持部品などの寸法精度を緩くすることができ、部品コストの削減及び組立て性を良好にすることができる。